(57)【要約】【課題】利用者が意図しない同報送信を防止して誤送信を防ぐ。【解決手段】同報ボタン７１がオン状態となっていない場合には、複数の宛先の登録ができないようにすることにより利用者が意図しない同報送信が防止され、誤送信を防ぐことができる。特に、同報ボタン７１がオンされていない場合には、ワンタッチボタンや短縮ボタンを連続して操作しても、登録内容を確認するだけで宛先の登録は１件しか行われないので、誤操作による誤送信を防止することが可能となる。【選択図】図７
2008067163.tif 000002
【特許請求の範囲】
【請求項１】
画像情報を送信するための宛先を記憶する宛先記憶手段と、
同報送信を行なうか否かを選択する選択手段と、
前記選択手段により同報送信が選択されている場合に、前記宛先記憶手段に対して複数の宛先の登録を許可するように制御する登録制御手段と、
前記画像情報を前記宛先記憶手段に記憶されている宛先に対して送信する送信手段と、
を有する画像送信装置。
【請求項２】
画像情報を送信するための宛先を記憶する宛先記憶手段と、
同報送信を行なうか否かを選択する選択手段と、
前記選択手段により同報送信が選択されていない場合に、前記宛先記憶手段に対して複数の宛先の登録を禁止するように制御する登録制御手段と、
前記画像情報を前記宛先記憶手段に記憶されている宛先に対して送信する送信手段と、
を有する画像送信装置。
【請求項３】
画像情報を送信するための宛先を記憶する宛先記憶手段と、
同報送信を行なうか否かを選択する選択手段と、
前記選択手段により同報送信が選択されている場合に、前記宛先記憶手段に対して複数の宛先の登録を許可するように制御し、前記選択手段により同報送信が選択されていない場合に、前記宛先記憶手段に対して複数の宛先の登録を禁止するように制御する登録制御手段と、
前記画像情報を前記宛先記憶手段に記憶されている宛先に対して送信する送信手段と、
を有する画像送信装置。
【請求項４】
前記登録制御手段は、前記宛先記憶手段に対して複数の宛先の登録を禁止する場合、最初に設定された宛先を登録するように制御する請求項２または３記載の画像送信装置。
【請求項５】
前記登録制御手段は、前記宛先記憶手段に対して複数の宛先の登録を禁止する場合、現在設定されている宛先を削除して最後に設定された宛先を登録するように制御する請求項２または３記載の画像送信装置。
【請求項６】
前記登録制御手段は、前記宛先記憶手段に対して複数の宛先の登録を禁止する場合、複数の宛先が設定された宛先群の登録を禁止するように制御する請求項２または３記載の画像送信装置。
【請求項７】
前記登録制御手段は、複数の宛先が設定された宛先群の登録を禁止する場合、該宛先群の登録内容を表示するよう表示手段を制御する請求項６記載の画像送信装置。
【請求項８】
前記登録制御手段は、前記宛先記憶手段に対して複数の宛先の登録を禁止する場合、指示された宛先の登録内容を表示するよう表示手段を制御する請求項２から５のいずれか１項記載の画像送信装置。
【請求項９】
前記登録制御手段は、前記選択手段による同報送信の選択が解除された場合、前記宛先記憶手段に記憶されている宛先を消去する請求項１または３記載の画像送信装置。
【請求項１０】
前記登録制御手段は、前記選択手段による同報送信の選択が解除された場合、前記宛先記憶手段に記憶されている宛先のうち最後に設定された宛先以外の宛先を消去する請求項１または３記載の画像送信装置。
【請求項１１】
画像情報を指定された宛先に対して送信する送信手段と、
同報送信を行なうか否かを選択する選択手段と、
前記選択手段により同報送信が選択されている場合に、前記送信手段に対して複数の宛先への送信を許可するように制御する送信制御手段と、
を有する画像送信装置。
【請求項１２】
画像情報を指定された宛先に対して送信する送信手段と、
同報送信を行なうか否かを選択する選択手段と、
前記選択手段により同報送信が選択されていない場合に、前記送信手段に対して複数の宛先への送信を禁止するように制御する送信制御手段と、
を有する画像送信装置。
【請求項１３】
画像情報を指定された宛先に対して送信する送信手段と、
同報送信を行なうか否かを選択する選択手段と、
前記選択手段により同報送信が選択されている場合に、前記送信手段に対して複数の宛先への送信を許可するように制御し、前記選択手段により同報送信が選択されていない場合に、前記送信手段に対して複数の宛先への送信を禁止するように制御する送信制御手段と、
を有する画像送信装置。
【請求項１４】
画像情報を指定された宛先に対して送信する送信手段と、
同報送信を行なうか否かを選択する選択手段と、
前記選択手段により同報送信が選択されている場合に、前記送信手段に対して単数の宛先への送信を禁止するように制御する送信制御手段と、
を有する画像送信装置。
【請求項１５】
画像情報を指定された宛先に対して送信する送信手段と、
同報送信を行なうか否かを選択する選択手段と、
前記選択手段により同報送信が選択されていない場合に、前記送信手段に対して単数の宛先への送信を許可するように制御する送信制御手段と、
を有する画像送信装置。
【請求項１６】
画像情報を指定された宛先に対して送信する送信手段と、
同報送信を行なうか否かを選択する選択手段と、
前記選択手段により同報送信が選択されている場合に、前記送信手段に対して単数の宛先への送信を禁止するように制御し、前記選択手段により同報送信が選択されていない場合に、前記送信手段に対して単数の宛先への送信を許可するように制御する送信制御手段と、
を有する画像送信装置。
【請求項１７】
画像情報を指定された宛先に対して送信する送信手段と、
画像情報を送信するための宛先を記憶する宛先記憶手段と、
送信しようとする宛先の数を予め受け付ける宛先数受付手段と、
前記宛先数受付手段により受け付けられた宛先数と、前記宛先記憶手段に登録された宛先の数である登録宛先件数とが一致するか否かを判定する判定手段と、
前記判定手段により予め受け付けられた宛先数と、前記宛先記憶手段の登録宛先件数とが一致していないと判定された場合、前記送信手段に対して送信を禁止するように制御する送信制御手段と、
を有する画像送信装置。
【請求項１８】
画像情報を指定された宛先に対して送信する送信手段と、
画像情報を送信するための宛先を記憶する宛先記憶手段と、
送信しようとする宛先の数を予め受け付ける宛先数受付手段と、
前記宛先数受付手段により受け付けられた宛先数と、前記宛先記憶手段に登録された宛先の数である登録宛先件数とが一致するか否かを判定する判定手段と、
前記判定手段により予め受け付けられた宛先数と、前記宛先記憶手段の登録宛先件数とが一致していると判定された場合、前記送信手段に対して送信を許可するように制御する送信制御手段と、
を有する画像送信装置。
【請求項１９】
画像情報を指定された宛先に対して送信する送信手段と、
画像情報を送信するための宛先を記憶する宛先記憶手段と、
送信しようとする宛先の数を予め受け付ける宛先数受付手段と、
前記宛先数受付手段により受け付けられた宛先数と、前記宛先記憶手段に登録された宛先の数である登録宛先件数とが一致するか否かを判定する判定手段と、
前記判定手段により予め受け付けられた宛先数と、前記宛先記憶手段の登録宛先件数とが一致していないと判定された場合、前記送信手段に対して送信を禁止するように制御し、前記判定手段により予め受け付けられた宛先数と、前記宛先記憶手段の登録宛先件数とが一致していると判定された場合、前記送信手段に対して送信を許可するように制御する送信制御手段と、
を有する画像送信装置。
【請求項２０】
宛先登録の指示を受けると、既に登録されている宛先が存在するか否かを判定するステップと、
既に登録された宛先が存在する場合、同報送信を行うことが選択されているか否かを判定するステップと
同報送信が選択されていないと判定された場合、指示された宛先登録を受け付けない処理を行うステップと、
をコンピュータに実行させるためのプログラム。
【請求項２１】
宛先登録の指示を受けると、既に登録されている宛先が存在するか否かを判定するステップと、
既に登録された宛先が存在する場合、同報送信を行うことが選択されているか否かを判定するステップと
同報送信が選択されていると判定された場合、指示された宛先登録を受け付ける処理を行うステップと、
をコンピュータに実行させるためのプログラム。
【請求項２２】
宛先登録の指示を受けると、既に登録されている宛先が存在するか否かを判定するステップと、
既に登録された宛先が存在する場合、同報送信を行うことが選択されているか否かを判定するステップと
同報送信が選択されていないと判定された場合、指示された宛先登録を受け付けない処理を行い、同報送信が選択されていると判定された場合、指示された宛先登録を受け付ける処理を行うステップと、
をコンピュータに実行させるためのプログラム。
【請求項２３】
指示された宛先登録を受け付けない場合、該宛先の登録内容を表示するステップをさらにコンピュータに実行させる請求項２０または２２記載のプログラム。
【請求項２４】
複数の宛先が設定された宛先群の登録の指示を受けると、同報送信を行うことが選択されているか否かを判定するステップと
同報送信が選択されていると判定された場合、指示された宛先群の登録を受け付けない処理を行うステップと、
をコンピュータに実行させるためのプログラム。
【請求項２５】
指示された宛先群の登録を受け付けない場合、該宛先群の登録内容を表示するステップをさらにコンピュータに実行させる請求２４記載のプログラム。
【請求項２６】
同報送信の選択が解除された場合、受け付けた宛先登録を消去するステップをさらにコンピュータに実行させる請求項２１または２２記載のプログラム。
【請求項２７】
同報送信の選択が解除された場合、受け付けた宛先登録のうち最後に受け付けた宛先以外の宛先の登録を消去するステップをさらにコンピュータに実行させる請求項２１または２２記載のプログラム。
【請求項２８】
宛先登録の指示を受けると、既に登録されている宛先が存在するか否かを判定するステップと、
既に登録された宛先が存在する場合、同報送信を行うことが選択されているか否かを判定するステップと
同報送信が選択されていないと判定された場合、既に登録されている宛先を削除して指示された宛先登録を受け付けるステップと、
をコンピュータに実行させるためのプログラム。
【請求項２９】
指示された宛先を登録するステップと、
同報送信を行うことが選択されているか否かを判定するステップと
登録された宛先件数が複数か否かを判定するステップと、
同報送信が選択されておらず、かつ宛先件数が複数の場合、登録された宛先への送信を禁止するステップと、
をコンピュータに実行させるためのプログラム。
【請求項３０】
指示された宛先を登録するステップと、
同報送信を行うことが選択されているか否かを判定するステップと
登録された宛先件数が複数か否かを判定するステップと、
同報送信が選択されていて、かつ宛先件数が複数の場合、登録された宛先への送信を許可するステップと、
をコンピュータに実行させるためのプログラム。
【請求項３１】
指示された宛先を登録するステップと、
同報送信を行うことが選択されているか否かを判定するステップと
登録された宛先件数が複数か否かを判定するステップと、
同報送信が選択されておらず、かつ宛先件数が複数の場合、登録された宛先への送信を禁止し、同報送信が選択されていて、かつ宛先件数が複数の場合、登録された宛先への送信を許可するステップと、
をコンピュータに実行させるためのプログラム。
【請求項３２】
指示された宛先を登録するステップと、
同報送信を行うことが選択されているか否かを判定するステップと
登録された宛先件数が複数か否かを判定するステップと、
同報送信が選択されていて、かつ宛先件数が単数の場合、登録された宛先への送信を禁止するステップと、
をコンピュータに実行させるためのプログラム。
【請求項３３】
指示された宛先を登録するステップと、
送信しようとする宛先の数を受け付けるステップと、
受け付けられた宛先数と、登録された宛先の数である登録宛先件数とが一致しているか否かを判定するステップと、
受け付けられた宛先数と、登録された宛先の数である登録宛先件数とが一致していると判定された場合、登録された宛先への送信を許可するステップと、
をコンピュータに実行させるためのプログラム。
【請求項３４】
指示された宛先を登録するステップと、
送信しようとする宛先の数を受け付けるステップと、
受け付けられた宛先数と、登録された宛先の数である登録宛先件数とが一致しているか否かを判定するステップと、
受け付けられた宛先数と、登録された宛先の数である登録宛先件数とが一致していないと判定された場合、登録された宛先への送信を禁止するステップと、
をコンピュータに実行させるためのプログラム。
【請求項３５】
指示された宛先を登録するステップと、
送信しようとする宛先の数を受け付けるステップと、
受け付けられた宛先数と、登録された宛先の数である登録宛先件数とが一致しているか否かを判定するステップと、
受け付けられた宛先数と、登録された宛先の数である登録宛先件数とが一致していると判定された場合、登録された宛先への送信を許可し、受け付けられた宛先数と、登録された宛先の数である登録宛先件数とが一致していないと判定された場合、登録された宛先への送信を禁止するステップと、
をコンピュータに実行させるためのプログラム。
【発明の詳細な説明】
【技術分野】
【０００１】
本発明は、画像送信装置およびプログラムに関する。
【背景技術】
【０００２】
特許文献１には、同報送信開始操作時に同報確認画面を表示し、利用者の応答により同報送信の承認を示す入力があったことを条件として同報送信を実施するファクシミリ装置が開示されている。
【０００３】
【特許文献１】特開平１１−１４６１７４号公報
【発明の開示】
【発明が解決しようとする課題】
【０００４】
本発明は、誤った同報送信を防ぐことができる画像送信装置およびプログラムを提供することを目的とする。
【課題を解決するための手段】
【０００５】
請求項１に係る本発明は、画像情報を送信するための宛先を記憶する宛先記憶手段と、
同報送信を行なうか否かを選択する選択手段と、
前記選択手段により同報送信が選択されている場合に、前記宛先記憶手段に対して複数の宛先の登録を許可するように制御する登録制御手段と、
前記画像情報を前記宛先記憶手段に記憶されている宛先に対して送信する送信手段とを有する画像送信装置である。
【０００６】
請求項２に係る本発明は、画像情報を送信するための宛先を記憶する宛先記憶手段と、
同報送信を行なうか否かを選択する選択手段と、
前記選択手段により同報送信が選択されていない場合に、前記宛先記憶手段に対して複数の宛先の登録を禁止するように制御する登録制御手段と、
前記画像情報を前記宛先記憶手段に記憶されている宛先に対して送信する送信手段とを有する画像送信装置である。
【０００７】
請求項３に係る本発明は、画像情報を送信するための宛先を記憶する宛先記憶手段と、
同報送信を行なうか否かを選択する選択手段と、
前記選択手段により同報送信が選択されている場合に、前記宛先記憶手段に対して複数の宛先の登録を許可するように制御し、前記選択手段により同報送信が選択されていない場合に、前記宛先記憶手段に対して複数の宛先の登録を禁止するように制御する登録制御手段と、
前記画像情報を前記宛先記憶手段に記憶されている宛先に対して送信する送信手段とを有する画像送信装置である。
【０００８】
請求項４に係る本発明は、前記登録制御手段が、前記宛先記憶手段に対して複数の宛先の登録を禁止する場合、最初に設定された宛先を登録するように制御する請求項２または３記載の画像送信装置である。
【０００９】
請求項５に係る本発明は、前記登録制御手段が、前記宛先記憶手段に対して複数の宛先の登録を禁止する場合、現在設定されている宛先を削除して最後に設定された宛先を登録するように制御する請求項２または３記載の画像送信装置である。
【００１０】
請求項６に係る本発明は、前記登録制御手段が、前記宛先記憶手段に対して複数の宛先の登録を禁止する場合、複数の宛先が設定された宛先群の登録を禁止するように制御する請求項２または３記載の画像送信装置である。
【００１１】
請求項７に係る本発明は、前記登録制御手段が、複数の宛先が設定された宛先群の登録を禁止する場合、該宛先群の登録内容を表示するよう表示手段を制御する請求項６記載の画像送信装置である。
【００１２】
請求項８に係る本発明は、前記登録制御手段が、前記宛先記憶手段に対して複数の宛先の登録を禁止する場合、指示された宛先の登録内容を表示するよう表示手段を制御する請求項２から５のいずれか１項記載の画像送信装置である。
【００１３】
請求項９に係る本発明は、前記登録制御手段が、前記選択手段による同報送信の選択が解除された場合、前記宛先記憶手段に記憶されている宛先を消去する請求項１または３記載の画像送信装置である。
【００１４】
請求項１０に係る本発明は、前記登録制御手段が、前記選択手段による同報送信の選択が解除された場合、前記宛先記憶手段に記憶されている宛先のうち最後に設定された宛先以外の宛先を消去する請求項１または３記載の画像送信装置である。
【００１５】
請求項１１に係る本発明は、画像情報を指定された宛先に対して送信する送信手段と、
同報送信を行なうか否かを選択する選択手段と、
前記選択手段により同報送信が選択されている場合に、前記送信手段に対して複数の宛先への送信を許可するように制御する送信制御手段とを有する画像送信装置である。
【００１６】
請求項１２に係る本発明は、画像情報を指定された宛先に対して送信する送信手段と、
同報送信を行なうか否かを選択する選択手段と、
前記選択手段により同報送信が選択されていない場合に、前記送信手段に対して複数の宛先への送信を禁止するように制御する送信制御手段とを有する画像送信装置である。
【００１７】
請求項１３に係る本発明は、画像情報を指定された宛先に対して送信する送信手段と、
同報送信を行なうか否かを選択する選択手段と、
前記選択手段により同報送信が選択されている場合に、前記送信手段に対して複数の宛先への送信を許可するように制御し、前記選択手段により同報送信が選択されていない場合に、前記送信手段に対して複数の宛先への送信を禁止するように制御する送信制御手段とを有する画像送信装置である。
【００１８】
請求項１４に係る本発明は、画像情報を指定された宛先に対して送信する送信手段と、
同報送信を行なうか否かを選択する選択手段と、
前記選択手段により同報送信が選択されている場合に、前記送信手段に対して単数の宛先への送信を禁止するように制御する送信制御手段とを有する画像送信装置である。
【００１９】
請求項１５に係る本発明は、画像情報を指定された宛先に対して送信する送信手段と、
同報送信を行なうか否かを選択する選択手段と、
前記選択手段により同報送信が選択されていない場合に、前記送信手段に対して単数の宛先への送信を許可するように制御する送信制御手段とを有する画像送信装置である。
【００２０】
請求項１６に係る本発明は、画像情報を指定された宛先に対して送信する送信手段と、
同報送信を行なうか否かを選択する選択手段と、
前記選択手段により同報送信が選択されている場合に、前記送信手段に対して単数の宛先への送信を禁止するように制御し、前記選択手段により同報送信が選択されていない場合に、前記送信手段に対して単数の宛先への送信を許可するように制御する送信制御手段とを有する画像送信装置である。
【００２１】
請求項１７に係る本発明は、画像情報を指定された宛先に対して送信する送信手段と、
画像情報を送信するための宛先を記憶する宛先記憶手段と、
送信しようとする宛先の数を予め受け付ける宛先数受付手段と、
前記宛先数受付手段により受け付けられた宛先数と、前記宛先記憶手段に登録された宛先の数である登録宛先件数とが一致するか否かを判定する判定手段と、
前記判定手段により予め受け付けられた宛先数と、前記宛先記憶手段の登録宛先件数とが一致していないと判定された場合、前記送信手段に対して送信を禁止するように制御する送信制御手段とを有する画像送信装置である。
【００２２】
請求項１８に係る本発明は、画像情報を指定された宛先に対して送信する送信手段と、
画像情報を送信するための宛先を記憶する宛先記憶手段と、
送信しようとする宛先の数を予め受け付ける宛先数受付手段と、
前記宛先数受付手段により受け付けられた宛先数と、前記宛先記憶手段に登録された宛先の数である登録宛先件数とが一致するか否かを判定する判定手段と、
前記判定手段により予め受け付けられた宛先数と、前記宛先記憶手段の登録宛先件数とが一致していると判定された場合、前記送信手段に対して送信を許可するように制御する送信制御手段とを有する画像送信装置である。
【００２３】
請求項１９に係る本発明は、画像情報を指定された宛先に対して送信する送信手段と、
画像情報を送信するための宛先を記憶する宛先記憶手段と、
送信しようとする宛先の数を予め受け付ける宛先数受付手段と、
前記宛先数受付手段により受け付けられた宛先数と、前記宛先記憶手段に登録された宛先の数である登録宛先件数とが一致するか否かを判定する判定手段と、
前記判定手段により予め受け付けられた宛先数と、前記宛先記憶手段の登録宛先件数とが一致していないと判定された場合、前記送信手段に対して送信を禁止するように制御し、前記判定手段により予め受け付けられた宛先数と、前記宛先記憶手段の登録宛先件数とが一致していると判定された場合、前記送信手段に対して送信を許可するように制御する送信制御手段とを有する画像送信装置である。
【００２４】
請求項２０に係る本発明は、宛先登録の指示を受けると、既に登録されている宛先が存在するか否かを判定するステップと、
既に登録された宛先が存在する場合、同報送信を行うことが選択されているか否かを判定するステップと
同報送信が選択されていないと判定された場合、指示された宛先登録を受け付けない処理を行うステップとをコンピュータに実行させるためのプログラムである。
【００２５】
請求項２１に係る本発明は、宛先登録の指示を受けると、既に登録されている宛先が存在するか否かを判定するステップと、
既に登録された宛先が存在する場合、同報送信を行うことが選択されているか否かを判定するステップと
同報送信が選択されていると判定された場合、指示された宛先登録を受け付ける処理を行うステップとをコンピュータに実行させるためのプログラムである。
【００２６】
請求項２２に係る本発明は、宛先登録の指示を受けると、既に登録されている宛先が存在するか否かを判定するステップと、
既に登録された宛先が存在する場合、同報送信を行うことが選択されているか否かを判定するステップと
同報送信が選択されていないと判定された場合、指示された宛先登録を受け付けない処理を行い、同報送信が選択されていると判定された場合、指示された宛先登録を受け付ける処理を行うステップとをコンピュータに実行させるためのプログラムである。
【００２７】
請求項２３に係る本発明は、指示された宛先登録を受け付けない場合、該宛先の登録内容を表示するステップをさらにコンピュータに実行させるプログラムである。
【００２８】
請求項２４に係る本発明は、複数の宛先が設定された宛先群の登録の指示を受けると、同報送信を行うことが選択されているか否かを判定するステップと
同報送信が選択されていると判定された場合、指示された宛先群の登録を受け付けない処理を行うステップとをコンピュータに実行させる。
【００２９】
請求項２５に係る本発明は、指示された宛先群の登録を受け付けない場合、該宛先群の登録内容を表示するステップをさらにコンピュータに実行させる請求２４記載のプログラムである。
【００３０】
請求項２６に係る本発明は、同報送信の選択が解除された場合、受け付けた宛先登録を消去するステップをさらにコンピュータに実行させる請求項２１または２２記載のプログラムである。
【００３１】
請求項２７に係る本発明は、同報送信の選択が解除された場合、受け付けた宛先登録のうち最後に受け付けた宛先以外の宛先の登録を消去するステップをさらにコンピュータに実行させる請求項２１または２２記載のプログラムである。
【００３２】
請求項２８に係る本発明は、宛先登録の指示を受けると、既に登録されている宛先が存在するか否かを判定するステップと、
既に登録された宛先が存在する場合、同報送信を行うことが選択されているか否かを判定するステップと
同報送信が選択されていないと判定された場合、既に登録されている宛先を削除して指示された宛先登録を受け付けるステップとをコンピュータに実行させるためのプログラムである。
【００３３】
請求項２９に係る本発明は、指示された宛先を登録するステップと、
同報送信を行うことが選択されているか否かを判定するステップと
登録された宛先件数が複数か否かを判定するステップと、
同報送信が選択されておらず、かつ宛先件数が複数の場合、登録された宛先への送信を禁止するステップとをコンピュータに実行させるためのプログラムである。
【００３４】
請求項３０に係る本発明は、指示された宛先を登録するステップと、
同報送信を行うことが選択されているか否かを判定するステップと
登録された宛先件数が複数か否かを判定するステップと、
同報送信が選択されていて、かつ宛先件数が複数の場合、登録された宛先への送信を許可するステップとをコンピュータに実行させるためのプログラムである。
【００３５】
請求項３１に係る本発明は、指示された宛先を登録するステップと、
同報送信を行うことが選択されているか否かを判定するステップと
登録された宛先件数が複数か否かを判定するステップと、
同報送信が選択されておらず、かつ宛先件数が複数の場合、登録された宛先への送信を禁止し、同報送信が選択されていて、かつ宛先件数が複数の場合、登録された宛先への送信を許可するステップとをコンピュータに実行させるためのプログラムである。
【００３６】
請求項３２に係る本発明は、指示された宛先を登録するステップと、
同報送信を行うことが選択されているか否かを判定するステップと
登録された宛先件数が複数か否かを判定するステップと、
同報送信が選択されていて、かつ宛先件数が単数の場合、登録された宛先への送信を禁止するステップとをコンピュータに実行させるためのプログラムである。
【００３７】
請求項３３に係る本発明は、指示された宛先を登録するステップと、
送信しようとする宛先の数を受け付けるステップと、
受け付けられた宛先数と、登録された宛先の数である登録宛先件数とが一致しているか否かを判定するステップと、
受け付けられた宛先数と、登録された宛先の数である登録宛先件数とが一致していると判定された場合、登録された宛先への送信を許可するステップとをコンピュータに実行させるためのプログラムである。
【００３８】
請求項３４に係る本発明は、指示された宛先を登録するステップと、
送信しようとする宛先の数を受け付けるステップと、
受け付けられた宛先数と、登録された宛先の数である登録宛先件数とが一致しているか否かを判定するステップと、
受け付けられた宛先数と、登録された宛先の数である登録宛先件数とが一致していないと判定された場合、登録された宛先への送信を禁止するステップとをコンピュータに実行させるためのプログラムである。
【００３９】
請求項３５に係る本発明は、指示された宛先を登録するステップと、
送信しようとする宛先の数を受け付けるステップと、
受け付けられた宛先数と、登録された宛先の数である登録宛先件数とが一致しているか否かを判定するステップと、
受け付けられた宛先数と、登録された宛先の数である登録宛先件数とが一致していると判定された場合、登録された宛先への送信を許可し、受け付けられた宛先数と、登録された宛先の数である登録宛先件数とが一致していないと判定された場合、登録された宛先への送信を禁止するステップとをコンピュータに実行させるためのプログラムである。
【発明の効果】
【００４０】
請求項１に記載された発明によれば、同報送信が選択されている場合にのみ複数の宛先の登録が許可されるため、誤った同報送信を防ぐことが可能な画像送信装置を提供することができる。
【００４１】
請求項２に記載された発明によれば、同報送信が選択されていない場合には複数の宛先の登録が禁止されるため、誤った同報送信を防ぐことが可能な画像送信装置を提供することができる。
【００４２】
請求項３に記載された発明によれば、同報送信が選択されている場合にのみ複数の宛先の登録が許可され、同報送信が選択されていない場合には複数の宛先の登録が禁止されるため、誤った同報送信を防ぐことが可能な画像送信装置を提供することができる。
【００４３】
請求項４に記載された発明によれば、同報送信が選択されていない場合には２件目以降の登録が禁止されるため、誤った同報送信を防ぐことが可能な画像送信装置を提供することができる。
【００４４】
請求項５に記載された発明によれば、同報送信が選択されていない場合には既に登録されている宛先を削除して新たな宛先が登録されるため、誤った同報送信を防ぐことが可能な画像送信装置を提供することができる。
【００４５】
請求項６に記載された発明によれば、同報送信が選択されていない場合には宛先群の登録が禁止されるため、誤った同報送信を防ぐことが可能な画像送信装置を提供することができる。
【００４６】
請求項７に記載された発明によれば、宛先群の登録が禁止されている場合でも宛先群の登録内容が表示されるため、利用者が宛先群の登録内容を確認することが可能な画像送信装置を提供することができる。
【００４７】
請求項８に記載された発明によれば、複数の宛先の登録が禁止されている場合でも指示された宛先の登録内容が表示されるため、利用者が指示された宛先の登録内容を確認することが可能な画像送信装置を提供することができる。
【００４８】
請求項９に記載された発明によれば、同報送信の選択が解除された場合には既に登録されている宛先が消去されるため、誤った同報送信を防ぐことが可能な画像送信装置を提供することができる。
【００４９】
請求項１０に記載された発明によれば、同報送信の選択が解除された場合には最後に設定された宛先以外の宛先が消去されるため、誤った同報送信を防ぐことが可能な画像送信装置を提供することができる。
【００５０】
請求項１１に記載された発明によれば、同報送信が選択されている場合にのみ複数の宛先への送信が許可されるため、誤った同報送信を防ぐことが可能な画像送信装置を提供することができる。
【００５１】
請求項１２に記載された発明によれば、同報送信が選択されていない場合には複数の宛先への送信が禁止されるため、誤った同報送信を防ぐことが可能な画像送信装置を提供することができる。
【００５２】
請求項１３に記載された発明によれば、同報送信が選択されている場合にのみ複数の宛先への送信が許可されるため、同報送信が選択されていない場合には複数の宛先への送信が禁止されるため、誤った同報送信を防ぐことが可能な画像送信装置を提供することができる。
【００５３】
請求項１４に記載された発明によれば、同報送信が選択されている場合には単数の宛先への送信が禁止されるため、誤った同報送信を防ぐことが可能な画像送信装置を提供することができる。
【００５４】
請求項１５に記載された発明によれば、同報送信が選択されていない場合にのみ単数の宛先への送信が許可されるため、誤った同報送信を防ぐことが可能な画像送信装置を提供することができる。
【００５５】
請求項１６に記載された発明によれば、同報送信が選択されている場合には単数の宛先への送信が禁止され、同報送信が選択されていない場合にのみ単数の宛先への送信が許可されるため、誤った同報送信を防ぐことが可能な画像送信装置を提供することができる。
【００５６】
請求項１７に記載された発明によれば、利用者が同報送信を行なおうとする宛先件数と、実際に送信される宛先件数が一致しない場合には送信が禁止されるため、誤った同報送信を防ぐことが可能な画像送信装置を提供することができる。
【００５７】
請求項１８に記載された発明によれば、利用者が同報送信を行なおうとする宛先件数と、実際に送信される宛先件数が一致する場合にのみ送信が許可されるため、誤った同報送信を防ぐことが可能な画像送信装置を提供することができる。
【００５８】
請求項１９に記載された発明によれば、利用者が同報送信を行なおうとする宛先件数と、実際に送信される宛先件数が一致しない場合には送信が禁止されるため、一致する場合にのみ送信が許可されるため、誤った同報送信を防ぐことが可能な画像送信装置を提供することができる。
【００５９】
請求項２０に記載された発明によれば、同報送信が選択されておらず、既に登録されている宛先が存在する場合には、指示された宛先登録を受け付けないようにすることにより、誤った同報送信を防ぐことが可能なプログラムを提供することができる。
【００６０】
請求項２１に記載された発明によれば、既に登録されている宛先が存在する場合には、同報送信が選択されている場合にのみ指示された宛先登録が受け付けられるため、誤った同報送信を防ぐことが可能なプログラムを提供することができる。
【００６１】
請求項２２に記載された発明によれば、同報送信が選択されておらず、既に登録されている宛先が存在する場合には、指示された宛先登録を受け付けず、既に登録されている宛先が存在する場合には、同報送信が選択されている場合にのみ指示された宛先登録が受け付けられるため、誤った同報送信を防ぐことが可能なプログラムを提供することができる。
【００６２】
請求項２３に記載された発明によれば、複数の宛先の登録が禁止されている場合でも指示された宛先の登録内容が表示されるため、利用者が指示された宛先の登録内容を確認することが可能なプログラムを提供することができる。
【００６３】
請求項２４に記載された発明によれば、同報送信が選択されていない場合には宛先群の登録が禁止されるため、誤った同報送信を防ぐことが可能なプログラムを提供することができる。
【００６４】
請求項２５に記載された発明によれば、宛先群の登録が禁止されている場合でも宛先群の登録内容が表示されるため、利用者が宛先群の登録内容を確認することが可能なプログラムを提供することができる。
【００６５】
請求項２６に記載された発明によれば、同報送信の選択が解除された場合には既に登録されている宛先が消去されるため、誤った同報送信を防ぐことが可能なプログラムを提供することができる。
【００６６】
請求項２７に記載された発明によれば、同報送信の選択が解除された場合には最後に設定された宛先以外の宛先が消去されるため、誤った同報送信を防ぐことが可能なプログラムを提供することができる。
【００６７】
請求項２８に記載された発明によれば、同報送信が選択されておらず、既に登録されている宛先が存在する場合には、最後に指定された宛先のみが登録されるため、誤った同報送信を防ぐことが可能なプログラムを提供することができる。
【００６８】
請求項２９に記載された発明によれば、同報送信が選択されていない場合には、複数の宛先への送信が禁止されるため、誤った同報送信を防ぐことが可能なプログラムを提供することができる。
【００６９】
請求項３０に記載された発明によれば、同報送信が選択されている場合のみ、複数の宛先への送信が許可されるため、誤った同報送信を防ぐことが可能なプログラムを提供することができる。
【００７０】
請求項３１に記載された発明によれば、同報送信が選択されていない場合には複数の宛先への送信が禁止され、同報送信が選択されている場合のみ複数の宛先への送信が許可されるため、誤った同報送信を防ぐことが可能なプログラムを提供することができる。
【００７１】
請求項３２に記載された発明によれば、同報送信が選択されている場合には、単数の宛先への送信が禁止されるため、誤った同報送信を防ぐことが可能なプログラムを提供することができる。
【００７２】
請求項３３に記載された発明によれば、利用者が同報送信を行なおうとする宛先件数と、実際に送信される宛先件数が一致しない場合には送信が禁止されるため、誤った同報送信を防ぐことが可能なプログラムを提供することができる。
【００７３】
請求項３４に記載された発明によれば、利用者が同報送信を行なおうとする宛先件数と、実際に送信される宛先件数が一致する場合にのみ送信が許可されるため、誤った同報送信を防ぐことが可能なプログラムを提供することができる。
【００７４】
請求項３５に記載された発明によれば、利用者が同報送信を行なおうとする宛先件数と、実際に送信される宛先件数が一致しない場合には送信が禁止され、一致する場合にのみ送信が許可されるため、誤った同報送信を防ぐことが可能なプログラムを提供することができる。
【発明を実施するための最良の形態】
【００７５】
次に、本発明の実施の形態について図面を参照して詳細に説明する。
【００７６】
[第１の実施形態]
図１は本発明の第１の実施形態の画像送受信装置１０、２０を含む画像送受信システムを示す図である。
【００７７】
この画像送受信システムは、図１に示されるように、画像送受信装置１０、２０とから構成されている。また、画像送受信装置１０と、画像送受信装置２０とは、公衆回線網、インターネット網等の通信回線網６０により接続されている。
【００７８】
画像送受信装置１０、２０は、それぞれ、スキャナ等の画像読み取り装置により読み取ったファクシミリ原稿の画像データを通信回線網６０を介して通信相手の画像送受信装置に送信する。そして、画像送受信装置１０、２０は、送信されてきた画像データに基づいた画像を出力する。
【００７９】
画像送受信装置１０、２０の具体的な例としては、ファクシミリ装置、ファクシミリ機能や複写機能を有するプリンタ等の様々な形態が存在する。
【００８０】
次に、本実施形態の画像送受信装置１０のハードウェア構成を図２に示す。
【００８１】
画像送受信装置１０は、図２に示されるように、ＣＰＵ１８、メモリ１９、ハードディスクドライブ（ＨＤＤ）等の記憶装置２２、外部のコンピュータなどとデータの送信及び受信を行う通信インタフェース（ＩＦ）２４、タッチパネル又は液晶ディスプレイ並びにキーボードを含むユーザインタフェース（ＵＩ）装置２６、スキャナ２８、プリント部２９を有する。これらの構成要素は、制御バス１６を介して互いに接続されている。
【００８２】
ＣＰＵ１８は、メモリ１９または記憶装置２２に格納された画像送受信プログラムに基づいて所定の処理を実行して、画像送受信装置１０の動作を制御する。また、画像送受信プログラムは、通信ＩＦ２４を介して外部から提供するようにしてもよいし、ＣＤ−ＲＯＭ等の記憶媒体に格納して提供するようにしてもよい。
【００８３】
図３は、上記の画像送受信プログラムが実行されることにより実現される画像送受信装置１０の機能構成を示すブロック図である。
【００８４】
本実施形態の画像送受信装置１０は、図３に示されるように、画像読取部３１と、画像処理部３２と、ページメモリ３３と、送信部３４と、ユーザインタフェース（ＵＩ）装置２６と、送信管理部４１とを有している。また、送信管理部４１は、同報選択部３５と、登録制御部３６と、宛先記憶部３７とから構成されている。
【００８５】
通常、画像送受信装置１０には、送信されてきた画像データを受信する受信部、この受信部により受信された画像データに基づいて画像形成を行う画像形成部等が備えられているが、ここでは説明を省略する。
【００８６】
画像読取部３１は、送信しようとするファクシミリ原稿の画像データを読み取る。画像処理部３２は、画像読取部３１により読み取られた画像データに対して、フィルタ処理／２値化処理等の画像処理を行う。ページメモリ３３は、画像処理部３２により画像処理された後の画像データを、送信先装置に送信するための画像データとして格納する。
【００８７】
同報選択部３５は、同報送信を行うか否かの選択を行う。ここで、同報送信とは、同一原稿を一度の操作（送信指示）で複数の宛先に送信することを意味している。
【００８８】
宛先記憶部３７は、ＵＩ装置２６を介してファクシミリ番号の宛先情報を入力し、画像読取部３１により読み取られた画像データを送信するための宛先として記憶する。
【００８９】
登録制御部３６は、同報選択部３５により同報送信が選択されている場合、宛先記憶部３７に対して複数の宛先の登録を許可するように制御し、同報選択部３５により同報送信が選択されていない場合、宛先記憶部３７に対して複数の宛先の登録を禁止するように制御する。
【００９０】
送信部３４は、ページメモリ３３に格納されている画像データを、宛先記憶部３７に記憶されている宛先に対して送信する。
【００９１】
次に、ＵＩ装置２６の具体例を図４を参照して説明する。ここでは、ＵＩ装置２６の一例として、タッチパネルと各種のボタンにより構成されている場合を用いて説明する。
【００９２】
このＵＩ装置２６には、図４に示されるように、同報ボタン７１、次宛先ボタン７２、宛先入力ウィンドウ７３、宛先表示ウィンドウ７４、ワンタッチボタン、短縮ボタン、テンキー等が設けられている。
【００９３】
本実施形態においては、同報選択部３５は、同報ボタン７１がオンの場合には、同報送信を行うことが選択されていると判定し、同報ボタン７１がオフの場合には同報送信が選択されていないと判定する。
【００９４】
本実施形態では、同報ボタン７１のオン／オフの切り替えは、同報ボタン７１が押下される毎にオン／オフが切り替わる単一操作による循環により実行されるものとして説明するが、他の切り替え方法を用いても良い。例えば、２つのボタンを設けて、それぞれ同報送信選択、同報送信非選択を指定するようにしても良い。
【００９５】
宛先入力ウィンドウ７３は、画像データを送信しようとする宛先を設定するためのウィンドウであり、テンキー等により設定された宛先情報は、この宛先入力ウィンドウ７３に表示される。そして、次宛先ボタン７２が押下されると、宛先入力ウィンドウ７３に設定されていた宛先情報が宛先記憶部３７に記憶され、宛先表示ウィンドウ７４に移動して、宛先入力ウィンドウ７３には新たな次の宛先の設定ができるようになる。
【００９６】
宛先を設定する方法としては、ファクシミリ番号をテンキーを用いて直接入力する方法、ワンタッチボタンにより入力する方法、短縮番号により入力する方法がある。
【００９７】
ワンタッチボタンにより宛先を設定する場合には、「ワンタッチボタン（００１）」を押下することにより短縮番号００１に登録されている宛先を１回の操作により設定することができる。このとき、宛先入力ウィンドウ７３には、短縮番号００１に登録されている宛先に関する情報が表示され、利用者は表示された宛先情報を確認することで、ワンタッチボタンによる宛先の設定に間違いがないかを、把握することができる。
【００９８】
また、短縮番号により宛先を設定する場合には、「短縮ボタン」→３桁の短縮番号により短縮番号に対して予め登録されている宛先を４回の操作により設定することができる。この場合にも、ワンタッチボタンによる宛先の設定の場合と同様に、入力した短縮番号に対して予め登録されている宛先に関する情報を宛先入力ウィンドウ７３に表示することで、利用者は短縮番号による宛先の設定に間違いがないかを、把握することが可能となる。
【００９９】
次に、本実施形態の画像送受信装置１０の動作を図５のフローチャートを参照して詳細に説明する。
ファクシミリ送信を行う送信先の設定を行う場合、ワンタッチボタン、短縮ボタンと短縮番号の入力、テンキーによる入力のいずれかにより宛先の指定を入力する（Ｓ１０１）。
【０１００】
すると、宛先記憶部３７に既に記憶されている登録宛先件数Ｎが１以上であるか否かの判定が行われ（Ｓ１０２）、登録宛先件数Ｎが０、つまり１件の宛先も登録されていない場合、指定された宛先は宛先記憶部３７に登録される（Ｓ１０４）。そして、登録宛先件数Ｎの値は１加算され（Ｓ１０５）、処理は終了する。なお、登録宛先件数Ｎは、初期値として０件が登録されているものとする。
【０１０１】
そして、Ｓ１０２において、登録宛先件数Ｎが１以上の場合、宛先選択部３５は、同報ボタン７１のオン／オフの状態に基づいて、同報送信が選択されているのか選択されていないのかを判定する（Ｓ１０３）。
【０１０２】
Ｓ１０３において同報送信が選択されていると判定された場合、登録制御部３６は、宛先記憶部３７に対して登録指示された宛先の登録を許可し、指定された宛先は宛先記憶部３７に記憶される（Ｓ１０４）。そして、登録宛先件数Ｎの値は１加算され（Ｓ１０５）、処理は終了する。
【０１０３】
同報ボタン７１がオンされていることにより複数の宛先登録が行われた場合のタッチパネルの一表示例を図６に示す。ここでは、同報ボタン７１がオンされていることにより、宛先入力ウィンドウ７３に入力された“△△△商事”という宛先が、次宛先ボタン７２が押下されることにより宛先表示ウィンドウ７４に移動している例が示されている。
【０１０４】
そして、Ｓ１０３において同報送信が選択されていないと判定された場合、登録制御部３６は、宛先記憶部３７に対して登録指示された宛先の登録を禁止する。そのため、宛先記憶部３７では、指定された宛先は記憶されない。そして、図７に示すように、宛先登録指示を受け付け無い旨が、受付無い理由とともに表示され、同報ボタン７１をオンにするように促す表示が行われる。
【０１０５】
なお、図５に示したフローチャートにおいて、Ｓ１０２のステップと、Ｓ１０３のステップは、どちらを先に判定するようにしても良い。つまり、同報送信が選択されているか否かを判定するＳ１０３のステップを、登録宛先件数Ｎが１以上であるか否かを判定するステップよりも先に行うようにしてもよい。
【０１０６】
次に、本実施形態の画像送受信装置１０の別の動作を図８のフローチャートを参照して説明する。
図５のフローチャートでは、登録制御部３６は、宛先記憶部３７に対して複数の宛先の登録を禁止する場合、最初に設定された宛先のみを登録するように制御する場合の動作であった。これに対して、図８に示すフローチャートでは、登録制御部３６が、宛先記憶部３７に対して複数の宛先の登録を禁止する場合、現在設定されている宛先を削除して最後に設定された宛先のみを登録するように制御する場合の動作を示す。
【０１０７】
図８に示したフローチャートにおいて、Ｓ１０１〜Ｓ１０５までの動作は、図５のフローチャートと同様であるためその説明は省略する。
Ｓ１０３において同報送信が選択されていないと判定された場合、登録制御部３６は、宛先記憶部３７に対して既に登録されている宛先を削除して、指示された宛先に差し替える処理を行うように制御する（Ｓ１０７）。そして、登録されている宛先が変更された旨がタッチパネル上に表示される（Ｓ１０８）。
【０１０８】
この図８に示した動作を、図９、図１０の例を参照して説明する。この図９、図１０の例では、同報ボタン９１はオフになっているものとして説明する。
【０１０９】
この場合、図９では、既に“○○○株式会社”という宛先が登録され宛先表示ウィンドウ７４中に表示されている。ここで、図９に示すように、宛先入力ウィンドウ７３に“△△△商事”という宛先が入力され、次宛先ボタン７２が押下された場合、図１０に示すように、最初に設定されていた“○○○株式会社”という宛先は削除され、“△△△商事”という宛先が宛先表示ウィンドウ７４中に表示されるようになる。
【０１１０】
なお、ワンタッチボタンが押下された場合には、次宛先ボタン７２の押下→宛先情報の設定という機能が実行される。また、短縮ボタンが押下され３桁の短縮番号が入力された場合にも、次宛先ボタン７２の押下→宛先情報の設定という機能が実行される。
【０１１１】
そのため、同報ボタン７１がオンとなっていれば、ワンタッチボタンを連続して押下することにより複数の宛先設定を行うことができる。また、短縮ボタン→短縮番号の入力を繰り返して行うことにより、複数の宛先設定を行うことができる。
【０１１２】
このような場合でも、本実施形態では、同報ボタン７１をオフにして複数の宛先を設定できないようにしてあれば、ワンタッチボタンを操作しても次々に宛先が登録されることなく、宛先内容を順次確認することが可能となる。また、短縮ボタン→短縮番号の入力を繰り返して行った場合でも、宛先が次々に登録されることなく宛先内容を順次確認することが可能となる。
【０１１３】
つまり、本実施形態の画像送受信装置１０によれば、ワンタッチボタン押下の動作の差別化を図ることが可能となる。具体的には、同報ボタン７１をオフ状態としている場合には、ワンタッチボタンを宛先検索用に使用することができ、同報ボタン７１をオン状態としている場合には、ワンタッチボタンを宛先入力／宛先指示用に使用することができる。
【０１１４】
なお、同報ボタン７１がオンとなっていることにより複数の宛先が登録された状態で同報ボタン７１がオフされた場合、登録されていた全ての宛先をクリアするようにする。ただし、同報ボタン７１がオンとなった状態で登録されている宛先が１件のみの場合には、同報ボタン７１がオフとなっても登録されている宛先をクリアする必要は無い。
【０１１５】
さらに、複数の宛先を１つの宛先グループ（宛先群）として登録するグループ登録が行われている場合、１つのグループ番号が指定された場合でも複数の宛先が指定されたものとして扱うようにする。つまり、同報ボタン７１がオフされている場合には、登録制御部３６は、宛先情報が複数登録されているグループのグループ番号が指定されたとしても、その宛先グループを宛先として登録することができないようにする。
【０１１６】
なお、宛先制御部３６は、宛先グループの登録を禁止する場合、ＵＩ装置２６の表示部に対して宛先グループの登録内容を表示するよう制御しても良い。
【０１１７】
[第２の実施形態]
次に、本発明の第２の実施形態の画像送受信装置について説明する。
【０１１８】
本実施形態の画像送受信装置１０ａの機能構成を図１１のブロック図に示す。図１１において、図３中の構成要素と同一の構成要素には同一の符号を付し、説明を省略するものとする。
【０１１９】
本実施形態における画像送受信装置１０ａは、図３に示した第１の実施形態における画像送受信装置１０に対して、送信管理部４１が送信管理部４２に置き換えられた構造となっている。
【０１２０】
また、本実施形態における送信管理部４２は、図３に示された第１の実施形態における送信管理部４１に対して登録制御部３６が送信制御部３８に置き換えられた構成となっている。
【０１２１】
本実施形態における送信制御部３８は、同報選択部３５により同報送信が選択されている場合、送信部３４に対して複数の宛先への送信を許可し、同報選択部３５により同報送信が選択されていない場合、送信部３４に対して複数の宛先への送信を禁止する。
【０１２２】
次に、本実施形態の画像送受信装置１０ａの動作を図１２のフローチャートを参照して詳細に説明する。
先ず、宛先記憶部３７は、タッチパネル等のＵＩ装置２６を介して宛先の入力を受付、受け付けた宛先の登録を行う（Ｓ２０１）。そして、送信しようとする画像が画像読取部３１により読み取られ、送信開始指示が行われる（Ｓ２０２）。すると、同報選択部３５は、同報送信が選択されているか否かを判定する（Ｓ２０３）。
【０１２３】
Ｓ２０３において、同報送信が選択されている場合、送信制御部３８は、送信部３４に対して送信許可を行い、送信部３４は宛先記憶部３７に登録されている宛先に対して、ページメモリ３３に格納されている画像データの送信を開始する（Ｓ２０４）。
【０１２４】
Ｓ２０３において、同報送信が選択されていない場合、送信制御部３８は、送信部３４に対して複数宛先への送信を禁止する。そのため、宛先記憶部３７に登録されている宛先の件数である登録宛先件数Ｎが単数（１件）の場合（Ｓ２０５）、送信部３４は送信を開始する（Ｓ２０４）。しかし、宛先記憶部３７の登録宛先件数Ｎが複数の場合（Ｓ２０５）、送信部３４は送信開始を受け付けず、その旨を通知する（Ｓ２０６）。
【０１２５】
なお、同報選択部３５における同報送信選択の判定は画像読取部３１による原稿読み取り以前に行われてもよい。また、送信制御部３８における同報送信の許可、禁止の通達は送信部３４ではなく画像読取部３１に対して行われてもよい。これにより、画像読取部３１は送信制御部３８からの同報送信許可通達をきっかけとして原稿の読み取りを開始する。
【０１２６】
なお、図１２のフローチャートでは、同報送信が選択されている場合には、登録宛先件数が１件の場合でも送信が行われるものとして説明したが、同報送信が選択されているのに登録宛先件数が１件の場合には、誤送信が発生する可能性がある。
【０１２７】
例えば、短縮番号やワンタッチボタンに対してファクシミリ番号の一部を登録しておいて、ワンタッチボタン押下→テンキーによる番号入力という操作により宛先情報の入力を行うチェーンダイヤル機能を有する画像送受信装置がある。このようなチェーンダイヤル機能では、短縮番号指定やワンタッチボタン押下の後に何らかのキーが押下されるとチェーンダイヤルであると認識するため、利用者が２件の宛先を登録したつもりでも１つの宛先とし登録されてしまう場合がある。このような場合に、登録されている宛先に対して送信を行ったのでは、誤送信または送信エラーになってしまう。
【０１２８】
そのため、同報送信が選択されているにもかかわらず登録宛先件数が１件の場合には、送信を行わないようにしてもよい。このような処理を実現したフローチャートを図１３に示す。
図１３に示したフローチャートにおいて、Ｓ２０１〜Ｓ２０６までの動作は、図１２のフローチャートと同様であるためその説明は省略する。
【０１２９】
この図１３のフローチャートでは、Ｓ２０３において同報送信が選択されていないと判定された場合、登録宛先件数Ｎが１件であるか否かの判定が行われる（Ｓ２０７）。そして、Ｓ２０７において登録宛先件数Ｎが２件以上の場合には、送信開始が行われる（Ｓ２０４）。
【０１３０】
しかし、Ｓ２０７において登録宛先件数Ｎが１件の場合、送信部３４は送信開始を受け付けず、その旨が、例えば図１４に示すように、通知される（Ｓ２０６）。そして、１件での送信を行う場合には、同報ボタン７１をオフにする必要がある旨も利用者に表示される。
【０１３１】
[第３の実施形態]
次に、本発明の第３の実施形態の画像送受信装置について説明する。
本実施形態の画像送受信装置１０ｂの機能構成を図１５のブロック図に示す。図１５において、図１１中の構成要素と同一の構成要素には同一の符号を付し、説明を省略するものとする。
【０１３２】
本実施形態における画像送受信装置１０ｂは、図１１に示した第２の実施形態における画像送受信装置１０ａに対して、送信管理部４２が送信管理部４３に置き換えられた構造となっている。
【０１３３】
また、本実施形態における送信管理部４３は、図１１に示された第２の実施形態における送信管理部４２に対して、同報選択部３５が宛先数受付部３９と判定部４０に置き換えられた構成となっている。
【０１３４】
宛先数受付部３９は、送信しようとする宛先の数を予め受け付ける。
判定部４０は、宛先数受付部３９により受け付けられた宛先数と、宛先記憶部３７に登録された宛先の数である登録宛先件数とが一致するか否かを判定する。
【０１３５】
本実施形態における送信制御部３８は、判定部４０において予め受け付けられた宛先数と、宛先記憶部３７の登録宛先件数とが一致していないと判定された場合、送信部３４に対して送信を禁止し、判定部４０において予め受け付けられた宛先数と、宛先記憶部３７の登録宛先件数とが一致すると判定された場合、送信部３４に対して送信を許可する。
【０１３６】
次に、本実施形態の画像送受信装置１０ｂの動作を図１６のフローチャートを参照して詳細に説明する。
先ず、宛先数受付部３９では、利用者から画像を送信しようとする宛先の件数が何件であるかを受け付ける（Ｓ３０１）。例えば、利用者がある画像を３件の宛先に対して同報送信行なおうとする場合、送信しようとする宛先の数として３件が宛先数受付部３９に登録される。
【０１３７】
次に、ワンタッチダイヤル、短縮番号、テンキー等により画像を送信しようとする宛先情報が宛先記憶部３７に対して登録される（Ｓ３０２）。
【０１３８】
そして、送信開始指示が行われると（Ｓ３０３）すると、判定部４０は、宛先数受付部３９により受け付けられた宛先数と、宛先記憶部３７に登録された宛先の数である登録宛先件数とが一致するか否かを判定する（Ｓ３０４）。
【０１３９】
Ｓ３０４において、予め設定された宛先数と、宛先登録件数とが一致すると判定された場合、送信制御部３８は、送信部３４に対して送信を許可する。そのため、送信部３４は、宛先記憶部３７に登録されている宛先への送信を開始する（Ｓ３０５）。
【０１４０】
Ｓ３０４において、予め設定された宛先数と、宛先登録件数とが一致しないと判定された場合、送信制御部３８は、送信部３４に対して送信を禁止する。そして、送信開始を受付ない旨が、例えば図１７に示すように通知される（Ｓ３０６）。
【０１４１】
[変形例]
上記実施形態では、全ての画像送受信装置において画像送信機能と画像受信機能とが備えられているものとして説明しているが、画像送信機能のみを備えた画像送信装置に対しても、本発明は同様に適用することができるものである。そして、少なくとも１つの画像送信装置と少なくとも１つの画像受信装置とがあれば画像送受信システムを構成することは可能である。
【０１４２】
上記実施形態では、画像読取部により読み取られた画像データを電話回線等の通信回線を経由して相手装置に送信するファクシミリ装置等の画像送受信システムに本発明を適用した場合を用いて説明しているが、インターネット経由にて相手先装置へ画像データを送信するインターネットファクシミリ（ｉＦＡＸ）装置等に対しても、本発明は同様に適用することができるものである。また、送受信する対象は画像データに限定されるものではなく、電子メールを送受信する電子メール送受信装置等の、指定された宛先に対してデータを送信する送受信装置であれば同様に適用することが可能である。
【０１４３】
また、本発明は、データを指定された宛先に対して送信する場合に限定されるものではなく、指定された複数の相手先装置からデータを取り出す集信（マルチポーリング）装置に対しても同様に適用することができるものである。ここで、ポーリングとは、指定された相手先装置に蓄積されている文書データ、画像データ等の各種データを取り出す機能を意味している。
【図面の簡単な説明】
【０１４４】
【図１】本発明の第１の実施形態の画像送受信装置１０を含むシステムの構成を示す図である。
【図２】本発明の第１の実施形態の画像送受信装置１０のハードウェア構成を示すブロック図である。
【図３】本発明の第１の実施形態の画像送受信装置１０の機能構成を示すブロック図である。
【図４】ＵＩ装置２６の具体例であるタッチパネルを示す図である。
【図５】本発明の第１の実施形態の画像送受信装置１０の動作を示すフローチャートである。
【図６】同報ボタン７１がオンされていることにより複数の宛先登録が行われた場合のタッチパネルの一表示例を示す図である。
【図７】同報ボタン７１がオフされていることにより、宛先登録指示を受け付け無い旨が表示される一例を示す図である。
【図８】本発明の第１の実施形態の画像送受信装置１０の他の動作を示すフローチャートである。
【図９】同報ボタン７１がオフの状態で宛先が入れ替わる動作を説明するための図である。
【図１０】同報ボタン７１がオフの状態で宛先が入れ替わる動作を説明するための図である。
【図１１】本発明の第２の実施形態の画像送受信装置１０ａの機能構成を示すブロック図である。
【図１２】本発明の第２の実施形態の画像送受信装置１０ａの動作を示すフローチャートである。
【図１３】本発明の第２の実施形態の画像送受信装置１０ａにおいて、同報送信が送信されていて登録宛先件数が１件の場合の動作を示すフローチャートである。
【図１４】同報送信が選択されているにもかかわらず登録宛先件数が１件の場合に、送信を行わない旨が表示される一例を示した図である。
【図１５】本発明の第３の実施形態の画像送受信装置１０ｂの機能構成を示すブロック図である。
【図１６】本発明の第３の実施形態の画像送受信装置１０ｂの動作を示すフローチャートである。
【図１７】本発明の第３の実施形態の画像送受信装置１０ｂにおいて、予め設定された宛先数と宛先登録件数とが一致しない場合に、送信開始を受付無い旨が表示される一例を示した図である。
【符号の説明】
【０１４５】
１０、１０ａ、１０ｂ    画像送受信装置
１６    制御バス
１８    ＣＰＵ
１９    メモリ
２０    画像送受信装置
２２    記憶装置
２４    通信インタフェース（ＩＦ）
２６    ユーザインタフェース（ＵＩ）装置
２８    スキャナ
２９    プリント部
３１    画像読取部
３２    画像処理装置
３３    ページメモリ
３４    送信部
３５    同報選択部
３６    登録制御部
３７    宛先記憶部
３８    送信制御部
３９    宛先数受付部
４０    判定部
４１、４２、４３    送信管理部
６０    通信回線網
７１    同報ボタン
７２    次宛先ボタン
７３    宛先入力ウィンドウ
７４    宛先表示ウィンドウ
Ｓ１０１〜Ｓ１０８    ステップ
Ｓ２０１〜Ｓ２０８    ステップ
Ｓ３０１〜Ｓ３０６    ステップ
【図１】
2008067163.tif 000003
【図２】
2008067163.tif 000004
【図３】
2008067163.tif 000005
【図４】
2008067163.tif 000006
【図５】
2008067163.tif 000007
【図６】
2008067163.tif 000008
【図７】
2008067163.tif 000009
【図８】
2008067163.tif 000010
【図９】
2008067163.tif 000011
【図１０】
2008067163.tif 000012
【図１１】
2008067163.tif 000013
【図１２】
2008067163.tif 000014
【図１３】
2008067163.tif 000015
【図１４】
2008067163.tif 000016
【図１５】
2008067163.tif 000017
【図１６】
2008067163.tif 000018
【図１７】
2008067163.tif 000019